(57)【要約】  レンズと、前記レンズに形成された着色領域とを有し、装用時において、前記着色領域の少なくとも一部が装用者の虹彩と重なる位置に配されており、前記着色領域が赤外線透過性を有することを特徴とする着色コンタクトレンズが提供される。
2019102697.tif 000002
【特許請求の範囲】
【請求項１】
レンズと、
前記レンズに形成された着色領域と
を有し、
装用時において、前記着色領域の少なくとも一部が装用者の虹彩と重なる位置に配されており、
前記着色領域が赤外線透過性を有する
ことを特徴とする着色コンタクトレンズ。
【請求項２】
装用時において、前記虹彩の模様の少なくとも一部が、可視光線によっては判別できず、赤外線によっては判別できる
ことを特徴とする請求項１に記載の着色コンタクトレンズ。
【請求項３】
前記着色領域は、波長が７５０ｎｍより大きい光に対して、透過性を有する
ことを特徴とする請求項１又は２に記載の着色コンタクトレンズ。
【請求項４】
前記着色領域は、波長が７５０ｎｍより大きく、１０００ｎｍより小さい光に対して、透過性を有する
ことを特徴とする請求項１乃至３のいずれか１項に記載の着色コンタクトレンズ。
【請求項５】
前記着色領域は、波長が４００ｎｍ以上、７５０ｎｍ以下の光に対して、吸収性又は反射性を有する
ことを特徴とする請求項１乃至４のいずれか１項に記載の着色コンタクトレンズ。
【請求項６】
７５０ｎｍより大きく、１０００ｎｍより小さい波長の光に対する前記着色領域の透過率は、４００ｎｍ以上、７５０ｎｍ以下の波長の光に対する前記着色領域の透過率より大きい
ことを特徴とする請求項１乃至５のいずれか１項に記載の着色コンタクトレンズ。
【請求項７】
前記着色領域は、装用時において前記虹彩の外周を覆う位置に配されている
ことを特徴とする請求項１乃至６のいずれか１項に記載の着色コンタクトレンズ。
【請求項８】
前記着色領域は、装用時において前記装用者の瞳孔を覆わない位置に配されている
ことを特徴とする請求項７に記載の着色コンタクトレンズ。
【請求項９】
前記着色領域は、赤外線透過性を有する着色材料によって形成されており、
前記着色材料は、前記レンズの表面には含有されておらず、前記レンズの内部に含有されている
ことを特徴とする請求項１乃至８のいずれか１項に記載の着色コンタクトレンズ。
【請求項１０】
請求項１乃至９のいずれか１項に記載の着色コンタクトレンズを装用している照合対象者の虹彩を、前記着色領域を透過する波長の赤外線を用いて撮影する赤外線画像取得部を有する
ことを特徴とする虹彩照合システム。
【請求項１１】
着色領域を有する着色コンタクトレンズを装用している照合対象者の虹彩を、前記着色領域を透過する波長の赤外線を用いて撮影する赤外線画像取得部と、
前記虹彩を、可視光線を用いて撮影する可視光線画像取得部と、
前記照合対象者が前記着色コンタクトレンズを装用しているか否かを判定する判定部と、
前記虹彩の照合を行う照合部と
を更に有し、
前記判定部が、前記照合対象者が前記着色コンタクトレンズを装用していると判定した場合には、前記照合部は、赤外線により取得された画像を用いて照合を行い、
前記判定部が、前記照合対象者が前記着色コンタクトレンズを装用していないと判定した場合には、前記照合部は、可視光線又は赤外線により取得された画像を用いて照合を行う
ことを特徴とする虹彩照合システム。
【請求項１２】
レンズを形成するステップと、
前記レンズに着色領域を形成するステップと
を有し、
装用時において、前記着色領域の少なくとも一部が装用者の虹彩と重なる位置に配されており、
前記着色領域が赤外線透過性を有する
ことを特徴とする着色コンタクトレンズの製造方法。
【請求項１３】
前記着色領域は、赤外線透過性を有する着色材料によって形成されており、
前記着色材料は、前記レンズの表面には含有されておらず、前記レンズの内部に含有されている
ことを特徴とする請求項１２に記載の着色コンタクトレンズの製造方法。
【発明の詳細な説明】
【技術分野】
【０００１】
本発明は、着色コンタクトレンズ及び着色コンタクトレンズの製造方法及び虹彩照合システムに関する。
【背景技術】
【０００２】
特許文献１には、着色領域を有する着色コンタクトレンズが開示されている。当該着色コンタクトレンズを装用すると、装用者の虹彩は着色領域に覆われる。そのため、虹彩の外観が変化する。
【先行技術文献】
【特許文献】
【０００３】
【特許文献１】国際公開第２０１４／１２５７４２号
【発明の概要】
【発明が解決しようとする課題】
【０００４】
特許文献１に記載されているような着色コンタクトレンズを装用すると、虹彩の模様の外観が本人の虹彩の模様とは異なるものに変化する。そのため、着色コンタクトレンズの装用者に対して虹彩照合を行うと、照合精度が劣化する場合がある。【０００５】
本発明は、上述の課題に鑑みてなされたものであって、虹彩照合の精度に対する影響を低減することができる着色コンタクトレンズ及び着色コンタクトレンズの製造方法及び虹彩照合システムを提供することを目的とする。
【課題を解決するための手段】
【０００６】
本発明の一観点によれば、レンズと、前記レンズに形成された着色領域とを有し、装用時において、前記着色領域の少なくとも一部が装用者の虹彩と重なる位置に配されており、前記着色領域が赤外線透過性を有することを特徴とする着色コンタクトレンズが提供される。【０００７】
本発明の他の観点によれば、レンズを形成するステップと、前記レンズに着色領域を形成するステップとを有し、装用時において、前記着色領域の少なくとも一部が装用者の虹彩と重なる位置に配されており、前記着色領域が赤外線透過性を有することを特徴とする着色コンタクトレンズの製造方法が提供される。【０００８】
本発明の更に他の観点によれば、着色領域を有する着色コンタクトレンズを装用している照合対象者の虹彩を、前記着色領域を透過する波長の赤外線を用いて撮影する赤外線画像取得部と、前記虹彩を、可視光線を用いて撮影する可視光線画像取得部と、前記照合対象者が前記着色コンタクトレンズを装用しているか否かを判定する判定部と、前記虹彩の照合を行う照合部とを更に有し、前記判定部が、前記照合対象者が前記着色コンタクトレンズを装用していると判定した場合には、前記照合部は、赤外線により取得された画像を用いて照合を行い、前記判定部が、前記照合対象者が前記着色コンタクトレンズを装用していないと判定した場合には、前記照合部は、可視光線又は赤外線により取得された画像を用いて照合を行うことを特徴とする虹彩照合システムが提供される。
【発明の効果】
【０００９】
本発明によれば、虹彩照合の精度に対する影響を低減することができる着色コンタクトレンズ及び着色コンタクトレンズの製造方法及び虹彩照合システムを提供することができる。
【図面の簡単な説明】
【００１０】
【図１】第１実施形態に係る着色コンタクトレンズの平面図である。
【図２】第１実施形態に係る着色コンタクトレンズの断面図である。
【図３】第１実施形態に係る着色コンタクトレンズの製造方法を示す模式図である。
【図４】第１実施形態に係る着色領域の透過率の波長依存性の例を示すグラフである。
【図５】可視光線カメラにより撮影された、着色コンタクトレンズを装用している眼の画像の模式図である。
【図６】赤外線カメラにより撮影された、着色コンタクトレンズを装用している眼の画像の模式図である。
【図７】第１実施形態に係る虹彩照合システムのハードウェア構成例を示すブロック図である。
【図８】第１実施形態に係る虹彩照合システムの機能ブロック図である。
【図９】第１実施形態に係る虹彩照合処理を示すフローチャートである。
【図１０】第２実施形態に係る虹彩照合システムの機能ブロック図である。
【図１１】第２実施形態に係る虹彩照合処理を示すフローチャートである。
【図１２】第３実施形態に係るコンタクトレンズの平面図である。
【図１３】第４実施形態に係るコンタクトレンズの製造方法を示すフローチャートである。
【発明を実施するための形態】
【００１１】
以下、図面を参照して、本発明の例示的な実施形態を説明する。図面において同様の要素又は対応する要素には同一の符号を付し、その説明を省略又は簡略化することがある。
【００１２】
［第１実施形態］
図１は、本実施形態に係る着色コンタクトレンズ１０の平面図であり、図２は、本実施形態に係る着色コンタクトレンズ１０のＡ−Ａ線における断面図である。着色コンタクトレンズ１０は、レンズ１００とレンズ１００に形成された着色領域１１０とを有する。図１及び図２に示されるように、レンズ１００が、一方の面が凸面で他方の面が凹面であるメニスカス状をなしている。着色領域１１０は、平面視において円環状をなしている。着色領域１１０は、装用時において、少なくとも一部が装用者の虹彩と重なる位置に配されている。これにより、虹彩の装飾効果が得られる。着色領域１１０は、虹彩を大きく見せる効果を得るため、装用者の虹彩の外周を覆う位置に配されていることが多い。
【００１３】
また、着色領域１１０の内側の瞳孔に対応する位置には透明部１２０が配されている。これにより、着色コンタクトレンズ１０の装用時に着色領域１１０が視界を遮らないようにすることができる。なお、着色コンタクトレンズは、カラーコンタクトレンズ、サークルコンタクトレンズ、コスメティックコンタクトレンズと呼ばれることもある。
【００１４】
なお、図１においては、説明の単純化のために着色領域１１０の形状が円環状であるものとしているが、これに限られるものではない。例えば、着色領域１１０の模様が実際の虹彩の模様に近い放射状となっているもの、多数のドットパターンにより着色領域１１０の色にグラデーションを設けたもの等、種々の形状が採用され得る。
【００１５】
図３は、本実施形態に係る着色コンタクトレンズ１０の製造方法を示す模式図である。図３の工程（ａ）から工程（ｄ）には、着色コンタクトレンズ１０及びこれを成形するためのモールド２１０の断面が図示されている。図３には、着色コンタクトレンズ１０の製造方法の一例として、サンドイッチ方式と呼ばれるものが示されているが、これ以外の方式であってもよい。以下、図３の工程順に沿って着色コンタクトレンズ１０の製造方法の一例を説明する。
【００１６】
工程（ａ）において、モールド２１０に樹脂２２０が供給される。樹脂２２０は、モールド２１０の凹面に沿うようなメニスカス状のレンズ１００ａとして成形される。この樹脂２２０の成形には、スピンキャスト法、キャストモールド法等が用いられ得る。スピンキャスト法とは、モールド２１０を回転させることにより生じた遠心力を利用して成形を行う手法である。キャストモールド法とは、モールド２１０とは別の凸型のモールドをモールド２１０の凹部と嵌合させることにより成形を行う手法である。
【００１７】
工程（ｂ）において、レンズ１００ａの上に着色材料２３０が形成される。着色材料２３０は、着色領域１１０を形成する。その後、工程（ｃ）において、レンズ１００ａの上に、着色材料２３０を覆うように再び樹脂２２０が供給され、樹脂２２０の成形が行われる。これにより、着色材料２３０により形成される着色領域１１０は、レンズ１００内に挟み込まれた状態となる。レンズ１００を構成する樹脂が固化された後、工程（ｄ）において、着色コンタクトレンズ１０は、モールド２１０から離型される。
【００１８】
着色コンタクトレンズ１０は、ソフトコンタクトレンズ、ハードコンタクトレンズのいずれであってもよい。例えば、着色コンタクトレンズ１０が、ソフトコンタクトレンズである場合には、樹脂２２０の材料は、ヒドロキシエチルメタクリレート、シリコーンハイドロゲル等の一般的に用いられているものであり得る。
【００１９】
着色領域１１０の性質について説明する。着色材料２３０には、赤外線透過性を有する材料が用いられる。これにより着色領域１１０は赤外線透過性を有する。また、着色材料２３０には、可視光線に対して吸収性又は反射性を有する材料が用いられる。これにより、着色領域１１０は可視光線に対して不透明であり、虹彩を大きく見せる効果、虹彩の色を変える効果等の装飾効果を得ることができる。このような着色材料２３０は、例えば、赤外線透過インクとして市販されており、赤外線通信装置の送受信部のフィルタ等に用いられることがある。
【００２０】
ここで、可視光線とは、波長が４００ｎｍ以上、７５０ｎｍ以下の光を指すものとする。この範囲の光は多くの人にとって視覚による認識が可能である。そのため、この範囲の波長の光に対して吸収性又は反射性を有する材料は、着色材料として好適に用いられ得る。赤外線とは、波長が７５０ｎｍより大きい光を指すものとする。着色領域１１０は赤外線透過性を有するため、波長が７５０ｎｍより大きい光を透過する。なお、本明細書において、波長を限定せずに単に「光」等と記載した場合には、それは可視光線に限定されるものではなく、可視光線及び赤外線等のあらゆる波長の電磁波を含み得るものとする。
【００２１】
図４は、本実施形態に係る着色領域１１０の透過率の波長依存性の例を示すグラフである。図４の横軸は、着色領域１１０に入射する光の波長を示しており、縦軸は、その波長の光の透過率を示している。図４から理解されるように、着色領域１１０の透過率は、波長が４００ｎｍ以上、かつ７５０ｎｍ以下の可視光線に対しては低い値である。そのため、着色領域１１０は、肉眼又は可視光線カメラでは黒色等の色で着色された領域として観察される。また、着色領域１１０の透過率は、波長が７５０ｎｍより大きい赤外線に対しては高い値である。そのため、着色領域１１０は、赤外線カメラでは透明に近い領域として観察される。
【００２２】
このように、本実施形態の着色コンタクトレンズ１０は、着色領域１１０が上述のような透過率の周波数依存性を有していることにより、着色領域１１０が可視光線と赤外線のそれぞれに対して異なった外観となる。図５は、可視光線カメラにより撮影された、着色コンタクトレンズ１０を装用している眼３００の画像の模式図である。図５に示されているように、可視光線カメラにより撮影された画像からは、レンズ１００の端部１００ｂ、着色領域１１０及び透明部１２０が判別可能である。また、透明部１２０は可視光線に対して透明であるため、着色コンタクトレンズ１０の内側の瞳孔３１０も外部から判別できる。しかしながら、着色領域１１０により、装用者の虹彩は覆い隠されているため、可視光線によっては、装用者の虹彩の模様が判別できない。
【００２３】
図６は、赤外線カメラにより撮影された、着色コンタクトレンズ１０を装用している眼３００の画像の模式図である。図６に示されているように、赤外線カメラにより撮影された画像では、着色領域１１０が透明であるため、着色コンタクトレンズ１０の内側にある装用者の虹彩３２０の模様３３０が判別可能である。
【００２４】
着色コンタクトレンズを装用すると虹彩が着色領域で覆われる。そのため、着色コンタクトレンズの装用者に対して虹彩照合を行うと、照合精度が劣化する場合がある。虹彩認証においては、瞳孔の収縮に影響されにくい虹彩の外周近傍の模様が重要な要素の１つであるが、着色コンタクトレンズは虹彩を大きく見せる効果を得るため、着色領域が虹彩の外周の近傍に配されていることが多い。このような場合、照合精度の劣化の影響が生じやすい。
【００２５】
これに対し、本実施形態の着色コンタクトレンズ１０は、着色領域１１０の少なくとも一部が赤外線透過性を有する。そのため、着色領域１１０により装用者の虹彩が覆われたとしても、赤外線カメラで眼を撮影することにより、装用者の虹彩の模様が判別可能である。したがって、本実施形態によれば、虹彩照合の精度に対する影響を低減することができる着色コンタクトレンズ１０が提供される。
【００２６】
このように、本実施形態の着色コンタクトレンズ１０は、装用した状態であっても虹彩照合を行うことができる。そのため、例えば、スマートフォンのログイン時、施設への入退場時の本人確認等の本人確認に虹彩認証が採用されている場合であっても、認証時にコンタクトレンズを外す必要がなく、利便性が向上する。
【００２７】
なお、「赤外線透過性を有する」とは、赤外線を完全に透過する状態に限定されるものではない。赤外線カメラで眼を撮影することにより、装用者の虹彩の模様が判別可能である程度の透過性があればよい。例えば、７５０ｎｍより大きく、１０００ｎｍより小さい波長の赤外線に対する着色領域１１０の透過率が、４００ｎｍ以上、７５０ｎｍ以下の波長の可視光線に対する着色領域１１０の透過率よりも大きい場合には、赤外線透過性を有するといえる。同様に、「吸収性又は反射性を有する」とは光が透過しない状態に限定されるものではない。
【００２８】
本実施形態では、着色領域１１０が、赤外線透過性を有する着色材料２３０により形成され得る。このとき、着色材料２３０は、レンズ１００の内部に挟み込まれた状態となるように形成され得る。この製造方法では、着色材料２３０は、レンズの表面には含有されておらず、レンズの内部に含有されている。装用時に着色材料２３０が眼球、まぶた等に触れないため、本実施形態の着色コンタクトレンズ１０は、生体への影響を与えにくい構造となっている。
【００２９】
なお、着色領域１１０の全体が赤外線透過性を有することは必須ではなく、着色領域１１０のうちの虹彩を覆う部分の少なくとも一部が赤外線透過性を有していればよい。例えば、着色コンタクトレンズ１０には、装用者の虹彩の外部にまで及ぶ模様が付されている場合があるが、装用者の虹彩の外部の部分は赤外線透過性を有していなくてもよい。
【００３０】
次に、本実施形態に係る着色コンタクトレンズ１０を装用している対象者に対して虹彩照合を行う虹彩照合システムの構成例を説明する。
【００３１】
図７は、本実施形態に係る虹彩の照合を行う虹彩照合システム４０のハードウェア構成例を示すブロック図である。虹彩照合システム４０は、例えば、携帯電話、スマートフォン、タブレットＰＣ（Personal  Computer）、ラップトップＰＣ、デスクトップＰＣ等のコンピュータ又は情報通信端末であり得る。虹彩照合システム４０は生体照合の一種である虹彩照合の機能を備える。虹彩照合システム４０は、照合対象者であるユーザの虹彩を撮影し、登録されている虹彩画像と照合することにより虹彩照合を行う。虹彩の模様は万人不同かつ終生不変である。そのため、照合時に取得された虹彩の模様をあらかじめ登録されている虹彩の画像と照合することにより同一人物であるか否かを確認することが可能である。以下の説明では、虹彩照合システム４０は、一例としてスマートフォンに搭載されているものとし、虹彩照合は、ユーザのログイン時の本人確認のために行われるものを想定するが、これに限られるものではない。
【００３２】
虹彩照合システム４０は、演算及び記憶を行うコンピュータとしての機能を実現するため、ＣＰＵ（Central  Processing  Unit）４０１、ＲＡＭ（Random  Access  Memory）４０２、ＲＯＭ（Read  Only  Memory）４０３及びフラッシュメモリ４０４を備える。また、虹彩照合システム４０は、通信Ｉ／Ｆ（インターフェース）４０５、表示装置４０６、入力装置４０７、可視光線照射装置４０８、可視光線カメラ４０９、赤外線照射装置４１０及び赤外線カメラ４１１を備える。ＣＰＵ４０１、ＲＡＭ４０２、ＲＯＭ４０３、フラッシュメモリ４０４、通信Ｉ／Ｆ４０５、表示装置４０６、入力装置４０７、可視光線照射装置４０８、可視光線カメラ４０９、赤外線照射装置４１０及び赤外線カメラ４１１は、バス４１２を介して相互に接続される。なお、表示装置４０６、入力装置４０７、可視光線照射装置４０８、可視光線カメラ４０９、赤外線照射装置４１０及び赤外線カメラ４１１は、これらの装置を駆動するための不図示の駆動装置を介してバス４１２に接続されてもよい。
【００３３】
図７では、虹彩照合システム４０を構成する各部が一体の装置として図示されているが、これらの機能の一部は外付け装置により構成されていてもよい。例えば、可視光線照射装置４０８、可視光線カメラ４０９、赤外線照射装置４１０又は赤外線カメラ４１１は、ＣＰＵ４０１等を含むコンピュータの機能を構成する部分とは別の外付け装置であってもよい。
【００３４】
ＣＰＵ４０１は、ＲＯＭ４０３、フラッシュメモリ４０４等に記憶されたプログラムに従って所定の動作を行うとともに、虹彩照合システム４０の各部を制御する機能をも有する。ＲＡＭ４０２は、揮発性記憶媒体から構成され、ＣＰＵ４０１の動作に必要な一時的なメモリ領域を提供する。ＲＯＭ４０３は、不揮発性記憶媒体から構成され、虹彩照合システム４０の動作に用いられるプログラム等の必要な情報を記憶する。フラッシュメモリ４０４は、不揮発性記憶媒体から構成され、赤外線カメラ４１１等で撮影された画像、照合対象となる画像、特徴量データ等の記憶を行う記憶装置である。
【００３５】
通信Ｉ／Ｆ４０５は、Ｗｉ−Ｆｉ（登録商標）、４Ｇ等の規格に基づく通信インターフェースであり、他の装置との通信を行うためのモジュールである。表示装置４０６は、液晶ディスプレイ、ＯＬＥＤ（Organic  Light  Emitting  Diode）ディスプレイ等であって、動画、静止画、文字等の表示に用いられる。入力装置４０７は、ボタン、タッチパネル等であって、ユーザが虹彩照合システム４０を操作するために用いられる。表示装置４０６及び入力装置４０７は、タッチパネルとして一体に形成されていてもよい。
【００３６】
可視光線照射装置４０８及び可視光線カメラ４０９は、例えば、表示装置４０６の表示面等に設けられる。可視光線照射装置４０８は、例えば、可視光線カメラ４０９による撮影のための光源として用いられる。可視光線カメラ４０９は、風景、ユーザの顔、眼等を可視光線により撮影し、画像を取得することができる。可視光線カメラ４０９には、撮影後の画像処理に適するように、ＣＭＯＳ（Complementary  Metal  Oxide  Semiconductor）イメージセンサ、ＣＣＤ（Charge  Coupled  Device）イメージセンサ等を用いたデジタルカメラが用いられ得る。
【００３７】
赤外線照射装置４１０は、赤外線ＬＥＤ等の赤外光を発する発光素子である。赤外線カメラ４１１には、赤外線に対して感度を有するように構成された受光素子を備えたＣＭＯＳイメージセンサ、ＣＣＤイメージセンサ等を用いたデジタルカメラが用いられ得る。赤外線照射装置４１０から赤外線をユーザの眼に照射し、虹彩で反射した赤外線を赤外線カメラ４１１で撮影することにより、虹彩照合に用いられる虹彩画像を撮影することができる。虹彩画像の取得に赤外線を用いることにより、虹彩の色によらず高コントラストな画像が得られ、かつ角膜による反射の影響を低減することができる。なお、可視光線カメラ４０９が可視光に加えて赤外線による画像を取得可能である場合には赤外線カメラ４１１を省略することができる。赤外線照射装置４１０から照射される赤外線の波長は、例えば、７５０ｎｍより大きく、１０００ｎｍより小さい範囲であり得る。
【００３８】
なお、図７に示されているハードウェア構成は例示であり、これら以外の装置が追加されていてもよく、一部の装置が設けられていなくてもよい。また、一部の装置が同様の機能を有する別の装置に置換されていてもよい。更に、一部の機能がネットワークを介して他の装置により提供されてもよく、本実施形態を構成する機能が複数の装置に分散されて実現されるものであってもよい。例えば、フラッシュメモリ４０４は、ＨＤＤ（Hard  Disk  Drive）に置換されていてもよく、クラウドストレージに置換されていてもよい。
【００３９】
図８は、本実施形態に係る虹彩照合システム４０の機能ブロック図である。虹彩照合システム４０は、赤外線照射部４２１、赤外線画像取得部４２２、特徴量算出部４２３、照合部４２４及び記憶部４２５を有する。
【００４０】
ＣＰＵ４０１は、赤外線照射装置４１０を制御することにより、照合対象者の眼に赤外線を照射する赤外線照射部４２１の機能を実現する。ＣＰＵ４０１は、赤外線カメラ４１１を制御することにより、照合対象者の眼の赤外線画像を取得する赤外線画像取得部４２２の機能を実現する。ＣＰＵ４０１は、ＲＯＭ４０３等に記憶されたプログラムをＲＡＭ４０２にロードして実行することにより、特徴量算出部４２３及び照合部４２４の機能を実現する。これらの各部で行われる処理については後述する。記憶部４２５は、赤外線画像取得部４２２により取得された虹彩画像、あらかじめ登録されている虹彩画像、これらの虹彩画像から算出された特徴量等のデータを記憶する。ＣＰＵ４０１は、フラッシュメモリ４０４を制御することにより記憶部４２５の機能を実現する。
【００４１】
図９は、本実施形態に係る虹彩照合システム４０により行われる虹彩照合処理の概略を示すフローチャートである。ステップＳ１０１において、赤外線照射部４２１は、照合対象者の眼を含む領域に赤外線を照射する。赤外線画像取得部４２２は、照射された赤外線の反射光に基づく赤外線画像を取得する。取得された赤外線画像は記憶部４２５に記憶される。典型的には、この赤外線画像はグレースケールの画像である。
【００４２】
ステップＳ１０２において、特徴量算出部４２３は、赤外線画像内に含まれる虹彩の模様を用いて特徴量を算出する。算出された特徴量は、記憶部４２５に記憶される。
【００４３】
ステップＳ１０３において、照合部４２４は、ステップＳ１０２において取得された特徴量と、あらかじめ記憶部４２５に登録されている照合対象者の虹彩の特徴量とを照合する。照合により、同一人物の虹彩であると判定された場合、虹彩照合システム４０は、本人確認ができたものと判断し、ログイン等の処理を行う。
【００４４】
以上のように、本実施形態に係る虹彩照合システム４０によれば、虹彩の赤外線画像を取得して虹彩照合を行うことができる。したがって、赤外線透過性を有する着色コンタクトレンズ１０を装用している対象者に対して虹彩照合を行うことができる。
【００４５】
虹彩の画像を取得する光の波長について説明する。上述のように虹彩の画像の取得に用いられる波長は、赤外線領域の範囲であれば適宜選択され得るが、虹彩照合の精度を考慮して以下のように設定することが望ましい。
【００４６】
虹彩照合においては、８００ｎｍ付近の波長で照合の一致度を示すスコアが高くなりやすく、高精度な照合が可能である。波長が長すぎるとスコアが低下し、虹彩照合の精度が低下するため、画像を取得する光の波長は、１０００ｎｍよりも小さいことが望ましい。一方、上述のように、赤外線画像を用いることで着色コンタクトレンズ１０を装用したままでも虹彩認証が可能になる効果が得られることから、虹彩の画像を取得する光の波長は７５０ｎｍよりも大きいことが望ましい。これらの条件を考慮すると、虹彩の画像を取得する光の波長は、７５０ｎｍよりも大きく、１０００ｎｍよりも小さい範囲であることが望ましい。これと対応して、着色コンタクトレンズ１０の着色領域１１０も、７５０ｎｍよりも大きく、１０００ｎｍよりも小さい光に対して透過性を有することが望ましい。
【００４７】
［第２実施形態］
本発明の第２実施形態として、着色コンタクトレンズ１０を装用しているか否かを判別する機能を備えた虹彩照合システム５０について説明する。
【００４８】
図１０は、本実施形態に係る虹彩照合システム５０の機能ブロック図である。虹彩照合システム５０は、第１実施形態の虹彩照合システム４０の構成に加え、更に、可視光線照射部４２６、可視光線画像取得部４２７及び判定部４２８を有する。
【００４９】
ＣＰＵ４０１は、可視光線照射装置４０８を制御することにより、照合対象者の眼に可視光線を照射する可視光線照射部４２６の機能を実現する。ＣＰＵ４０１は、可視光線カメラ４０９を制御することにより、照合対象者の眼の可視光線画像を取得する可視光線画像取得部４２７の機能を実現する。ＣＰＵ４０１は、ＲＯＭ４０３等に記憶されたプログラムをＲＡＭ４０２にロードして実行することにより、判定部４２８の機能を実現する。判定部４２８の機能については後述する。
【００５０】
図１１は、本実施形態に係る虹彩照合システム５０により行われる虹彩照合処理の概略を示すフローチャートである。
【００５１】
ステップＳ２０１において、可視光線画像及び赤外線画像の取得が行われる。これらの画像は、後続のステップＳ２０２における着色コンタクトレンズ１０の装用の有無の判定に用いられる。照合対象者の眼の赤外線画像は、図９のステップＳ１０１と同様の処理により取得される。また、可視光線照射部４２６及び可視光線画像取得部４２７により照合対象者の眼の可視光線画像の取得が行われる。可視光線照射部４２６は、照合対象者の眼を含む領域に可視光線を照射する。可視光線画像取得部４２７は、照射された可視光線の反射光に基づく可視光線画像を取得する。取得された可視光線画像は記憶部４２５に記憶される。
【００５２】
ステップＳ２０２において、判定部４２８は、ステップＳ２０１において取得された可視光線画像及び赤外線画像を用いて、照合対象者が着色コンタクトレンズ１０を装用しているか否かを判定する。この判定は、例えば、可視光線画像と赤外線画像とを比較して、虹彩に相当する部分の差が閾値を超えているか否かに基づいて行われ得る。図５及び図６から理解されるように、着色領域１１０に相当する部分の模様は、可視光線画像と赤外線画像とで異なるためである。あるいは、機械学習によりあらかじめ学習を行った判別器を判定部４２８として用いてもよい。学習用の教師データには、着色コンタクトレンズ１０を装用している場合の可視光線画像及び赤外線画像、並びに装用していない場合の可視光線画像及び赤外線画像が用いられ得る。
【００５３】
ステップＳ２０２において照合対象者が着色コンタクトレンズ１０を装用していると判定された場合（ステップＳ２０２においてＹＥＳ）には、処理はステップＳ２０３に移行する。ステップＳ２０２において照合対象者が着色コンタクトレンズ１０を装用していないと判定された場合（ステップＳ２０２においてＮＯ）には、処理はステップＳ２０４に移行する。
【００５４】
ステップＳ２０３において、特徴量算出部４２３は、赤外線画像内に含まれる虹彩の模様を用いて特徴量を算出する。算出された特徴量は、記憶部４２５に記憶される。
【００５５】
ステップＳ２０４において、特徴量算出部４２３は、可視光線画像内に含まれる虹彩の模様を用いて特徴量を算出する。算出された特徴量は、記憶部４２５に記憶される。以後の処理については第１実施形態の虹彩照合システム４０と同様であるため説明を省略する。
【００５６】
なお、ステップＳ２０４の処理において、可視光線画像を用いて特徴量を算出することは必須ではなく、ステップＳ２０４においても赤外線画像を用いて特徴量を算出してもよい。すなわち、ステップＳ２０４の処理においては、赤外線画像又は可視光線画像のいずれを用いて特徴量を算出してもよい。例えば虹彩の模様が鮮明に表示されている画像を選んで特徴量算出処理に用いる等、状況に応じて特徴量の算出に用いる画像を変えてもよい。
【００５７】
以上のように、本実施形態の虹彩照合システム５０は、赤外線透過性を有する着色領域を備えた着色コンタクトレンズ１０を装用しているか否かを判定することができる。虹彩照合システム５０は、着色コンタクトレンズ１０を装用している場合には、赤外線画像による虹彩照合を行うことができ、着色コンタクトレンズ１０の照合精度への影響を低減させることができる。また、虹彩照合システム５０は、着色コンタクトレンズ１０を装用していない場合には、例えば、可視光線画像を虹彩照合に用いることができる。この場合には、虹彩照合にどの画像を用いるかを制限する必要がないためである。したがって、処理の自由度が向上する。
【００５８】
上述の実施形態において説明した着色コンタクトレンズは以下の第３実施形態のようにも構成することができる。
【００５９】
［第３実施形態］
図１２は、本実施形態に係る着色コンタクトレンズ６０の平面図である。着色コンタクトレンズ６０は、レンズ６００と、レンズ６００に形成された着色領域６１０とを有する。ここで、装用時において、着色領域６１０の少なくとも一部が装用者の虹彩と重なる位置に配されている。また、着色領域６１０は、赤外線透過性を有する。
【００６０】
本実施形態によれば、虹彩照合の精度に対する影響を低減することができる着色コンタクトレンズを提供することができる。
【００６１】
上述の実施形態において説明した着色コンタクトレンズの製造方法は以下の第４実施形態のようにも構成することができる。
【００６２】
［第４実施形態］
図１３は、第４実施形態に係る着色コンタクトレンズの製造方法を示すフローチャートである。ステップＳ３０１において、レンズの形成が行われる。ステップＳ３０２において、レンズに着色領域が形成される。ここで、装用時において、着色領域の少なくとも一部が装用者の虹彩と重なる位置に配されている。また、着色領域は、赤外線透過性を有する。
【００６３】
本実施形態によれば、虹彩照合の精度に対する影響を低減することができる着色コンタクトレンズの製造方法を提供することができる。
【００６４】
［変形実施形態］
本発明は、上述の実施形態に限定されることなく、本発明の趣旨を逸脱しない範囲において適宜変更可能である。
【００６５】
上述の実施形態の虹彩照合システム４０、５０は、一例として挙げたログイン時の認証だけでなく、種々の本人確認に用いられ得る。例えば、上述の実施形態の虹彩照合システムは、空港・海港・国境における入出国のための本人確認、行政機関における本人確認、工場・事業所への入退場のための本人確認、イベント会場への入場時の本人確認等に適用され得る。
【００６６】
上述の各実施形態において、虹彩照合に用いられる画像の取得は、認証対象者の片目に対して行ってもよく、両目に対して行ってもよい。片目の画像のみを取得する場合、処理速度の向上、記憶容量の削減の効果があり、両目の画像を取得する場合、認証精度が向上する効果がある。
【００６７】
上述の実施形態の機能を実現するように該実施形態の構成を動作させるプログラムを記憶媒体に記録させ、記憶媒体に記録されたプログラムをコードとして読み出し、コンピュータにおいて実行する処理方法も各実施形態の範疇に含まれる。すなわち、コンピュータ読取可能な記憶媒体も各実施形態の範囲に含まれる。また、上述のプログラムが記録された記憶媒体だけでなく、そのプログラム自体も各実施形態に含まれる。また、上述の実施形態に含まれる１又は２以上の構成要素は、各構成要素の機能を実現するように構成されたＡＳＩＣ（Application  Specific  Integrated  Circuit）、ＦＰＧＡ（Field  Programmable  Gate  Array）等の回路であってもよい。
【００６８】
該記憶媒体としては例えばフロッピー（登録商標）ディスク、ハードディスク、光ディスク、光磁気ディスク、ＣＤ（Compact  Disk）−ＲＯＭ、磁気テープ、不揮発性メモリカード、ＲＯＭを用いることができる。また該記憶媒体に記録されたプログラム単体で処理を実行しているものに限らず、他のソフトウェア、拡張ボードの機能と共同して、ＯＳ（Operating  System）上で動作して処理を実行するものも各実施形態の範疇に含まれる。
【００６９】
上述の各実施形態の機能により実現されるサービスは、ＳａａＳ（Software  as  a  Service）の形態でユーザに対して提供することもできる。
【００７０】
なお、上述の実施形態は、いずれも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００７１】
上述の実施形態の一部又は全部は、以下の付記のようにも記載されうるが、以下には限られない。
【００７２】
（付記１）
レンズと、
前記レンズに形成された着色領域と
を有し、
装用時において、前記着色領域の少なくとも一部が装用者の虹彩と重なる位置に配されており、
前記着色領域が赤外線透過性を有する
ことを特徴とする着色コンタクトレンズ。
【００７３】
（付記２）
装用時において、前記虹彩の模様の少なくとも一部が、可視光線によっては判別できず、赤外線によっては判別できる
ことを特徴とする付記１に記載の着色コンタクトレンズ。
【００７４】
（付記３）
前記着色領域は、波長が７５０ｎｍより大きい光に対して、透過性を有する
ことを特徴とする付記１又は２に記載の着色コンタクトレンズ。
【００７５】
（付記４）
前記着色領域は、波長が７５０ｎｍより大きく、１０００ｎｍより小さい光に対して、透過性を有する
ことを特徴とする付記１乃至３のいずれか１項に記載の着色コンタクトレンズ。
【００７６】
（付記５）
前記着色領域は、波長が４００ｎｍ以上、７５０ｎｍ以下の光に対して、吸収性又は反射性を有する
ことを特徴とする付記１乃至４のいずれか１項に記載の着色コンタクトレンズ。
【００７７】
（付記６）
７５０ｎｍより大きく、１０００ｎｍより小さい波長の光に対する前記着色領域の透過率は、４００ｎｍ以上、７５０ｎｍ以下の波長の光に対する前記着色領域の透過率より大きい
ことを特徴とする付記１乃至５のいずれか１項に記載の着色コンタクトレンズ。
【００７８】
（付記７）
前記着色領域は、装用時において前記虹彩の外周を覆う位置に配されている
ことを特徴とする付記１乃至６のいずれか１項に記載の着色コンタクトレンズ。
【００７９】
（付記８）
前記着色領域は、装用時において前記装用者の瞳孔を覆わない位置に配されている
ことを特徴とする付記７に記載の着色コンタクトレンズ。
【００８０】
（付記９）
前記着色領域は、赤外線透過性を有する着色材料によって形成されており、
前記着色材料は、前記レンズの表面には含有されておらず、前記レンズの内部に含有されている
ことを特徴とする付記１乃至８のいずれか１項に記載の着色コンタクトレンズ。
【００８１】
（付記１０）
付記１乃至９のいずれか１項に記載の着色コンタクトレンズを装用している照合対象者の虹彩を、前記着色領域を透過する波長の赤外線を用いて撮影する赤外線画像取得部を有する
ことを特徴とする虹彩照合システム。
【００８２】
（付記１１）
着色領域を有する着色コンタクトレンズを装用している照合対象者の虹彩を、前記着色領域を透過する波長の赤外線を用いて撮影する赤外線画像取得部と、
前記虹彩を、可視光線を用いて撮影する可視光線画像取得部と、
前記照合対象者が前記着色コンタクトレンズを装用しているか否かを判定する判定部と、
前記虹彩の照合を行う照合部と
を有し、
前記判定部が、前記照合対象者が前記着色コンタクトレンズを装用していると判定した場合には、前記照合部は、赤外線により取得された画像を用いて照合を行い、
前記判定部が、前記照合対象者が前記着色コンタクトレンズを装用していないと判定した場合には、前記照合部は、可視光線又は赤外線により取得された画像を用いて照合を行う
ことを特徴とする虹彩照合システム。
【００８３】
（付記１２）
レンズを形成するステップと、
前記レンズに着色領域を形成するステップと
を有し、
装用時において、前記着色領域の少なくとも一部が装用者の虹彩と重なる位置に配されており、
前記着色領域が赤外線透過性を有する
ことを特徴とする着色コンタクトレンズの製造方法。
【００８４】
（付記１３）
前記着色領域は、赤外線透過性を有する着色材料によって形成されており、
前記着色材料は、前記レンズの表面には含有されておらず、前記レンズの内部に含有されている
ことを特徴とする付記１２に記載の着色コンタクトレンズの製造方法。
【００８５】
この出願は、２０１７年１１月２２日に出願された日本出願特願２０１７−２２４３４３を基礎とする優先権を主張し、その開示の全てをここに取り込む。
【符号の説明】
【００８６】
１０            着色コンタクトレンズ
１００          レンズ
１１０          着色領域
１２０          透明部
【図１】
2019102697.tif 000003
【図２】
2019102697.tif 000004
【図３】
2019102697.tif 000005
【図４】
2019102697.tif 000006
【図５】
2019102697.tif 000007
【図６】
2019102697.tif 000008
【図７】
2019102697.tif 000009
【図８】
2019102697.tif 000010
【図９】
2019102697.tif 000011
【図１０】
2019102697.tif 000012
【図１１】
2019102697.tif 000013
【図１２】
2019102697.tif 000014
【図１３】
2019102697.tif 000015
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
レンズと、
前記レンズに形成された着色領域と
を有し、
装用時において、前記着色領域の少なくとも一部が装用者の虹彩と重なる位置に配されており、
前記着色領域が赤外線透過性を有する
ことを特徴とする着色コンタクトレンズ。
【請求項２】
装用時において、前記虹彩の模様の少なくとも一部が、可視光線によっては判別できず、赤外線によっては判別できる
ことを特徴とする請求項１に記載の着色コンタクトレンズ。
【請求項３】
前記着色領域は、波長が７５０ｎｍより大きい光に対して、透過性を有する
ことを特徴とする請求項１又は２に記載の着色コンタクトレンズ。
【請求項４】
前記着色領域は、装用時において前記虹彩の外周を覆う位置に配されている
ことを特徴とする請求項１乃至３のいずれか１項に記載の着色コンタクトレンズ。
【請求項５】
前記着色領域は、装用時において前記装用者の瞳孔を覆わない位置に配されている
ことを特徴とする請求項４に記載の着色コンタクトレンズ。
【請求項６】
前記着色領域は、赤外線透過性を有する着色材料によって形成されており、
前記着色材料は、前記レンズの表面には含有されておらず、前記レンズの内部に含有されている
ことを特徴とする請求項１乃至５のいずれか１項に記載の着色コンタクトレンズ。
【請求項７】
請求項１乃至６のいずれか１項に記載の着色コンタクトレンズを装用している照合対象者の虹彩を、前記着色領域を透過する波長の赤外線を用いて撮影する赤外線画像取得部を有する
ことを特徴とする虹彩照合システム。
【請求項８】
着色領域を有する着色コンタクトレンズを装用している照合対象者の虹彩を、前記着色領域を透過する波長の赤外線を用いて撮影する赤外線画像取得部と、
前記虹彩を、可視光線を用いて撮影する可視光線画像取得部と、
前記照合対象者が前記着色コンタクトレンズを装用しているか否かを判定する判定部と、
前記虹彩の照合を行う照合部と
を更に有し、
前記判定部が、前記照合対象者が前記着色コンタクトレンズを装用していると判定した場合には、前記照合部は、赤外線により取得された画像を用いて照合を行い、
前記判定部が、前記照合対象者が前記着色コンタクトレンズを装用していないと判定した場合には、前記照合部は、可視光線又は赤外線により取得された画像を用いて照合を行う
ことを特徴とする虹彩照合システム。
【請求項９】
レンズを形成するステップと、
前記レンズに着色領域を形成するステップと
を有し、
装用時において、前記着色領域の少なくとも一部が装用者の虹彩と重なる位置に配されており、
前記着色領域が赤外線透過性を有する
ことを特徴とする着色コンタクトレンズの製造方法。
【請求項１０】
前記着色領域は、赤外線透過性を有する着色材料によって形成されており、
前記着色材料は、前記レンズの表面には含有されておらず、前記レンズの内部に含有されている
ことを特徴とする請求項９に記載の着色コンタクトレンズの製造方法。
【国際調査報告】
2019102697.tif 000016
2019102697.tif 000017
2019102697.tif 000018
2019102697.tif 000019